【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】
紫外線硬化型のインクを記録媒体の表裏面に吐出し、前記記録媒体に着弾した前記インクを紫外線の照射により硬化させる画像記録方法であって、
前記インクとして、非水系インクを用い、
前記記録媒体の表面に前記インクを吐出し、前記記録媒体の前記表面に着弾した前記インクに紫外線を照射し、前記記録媒体に前記インクを吐出してから２秒以内に前記インクを硬化させ、
次に、前記記録媒体の裏面に前記インクを吐出し、前記記録媒体の前記裏面に着弾した前記インクに紫外線を照射し、前記記録媒体に前記インクを吐出してから２秒以内に前記インクを硬化させ、
硬化した前記インクを前記記録媒体に圧潰することを特徴とする画像記録方法。
【請求項２】
請求項１記載の画像記録方法において、
前記記録媒体としてインク吸収性の高い記録媒体を用いることを特徴とする画像記録方法。
【請求項３】
請求項１または２記載の画像記録方法において、
前記記録媒体の表裏面のうち、少なくとも一方の面に対して、前記インクを最大で５ｇ／ｍ2以上着弾させることを特徴とする画像記録方法。
【請求項４】
請求項１〜３の何れか一項に記載の画像記録方法において、
前記インクとして、カチオン重合系のインクを用いることを特徴とする画像記録方法。
【請求項５】
紫外線硬化型のインクを記録媒体の表裏面にそれぞれ吐出する複数の記録ヘッドと、前記記録媒体に着弾した前記インクを紫外線の照射により硬化させる複数の紫外線照射装置とを備える画像記録装置であって、
前記インクは、非水系インクであり、
前記紫外線照射装置は、前記記録媒体が前記記録媒体に前記インクを吐出してから２秒以内に前記インクを硬化させることを特徴とする画像記録装置。
【請求項６】
請求項５記載の画像記録装置において、
前記複数の記録ヘッドは、前記記録媒体の表面に前記インクを吐出する第１の記録ヘッドと、前記記録媒体の裏面に前記インクを吐出する第２の記録ヘッドとを備え、
前記複数の紫外線照射装置は、前記記録媒体の表面に着弾した前記インクを硬化させる第１の紫外線照射装置と、前記記録媒体の裏面に着弾した前記インクを硬化させる第２の紫外線照射装置とを備え、
前記記録媒体の表面に前記第１の記録ヘッドが前記インクを吐出し、前記記録媒体の表面に着弾した前記インクを前記第１の紫外線照射装置が硬化させた後に、
前記記録媒体の裏面に前記第２の記録ヘッドが前記インクを吐出し、前記記録媒体の裏面に着弾した前記インクを前記第２の紫外線照射装置が硬化させることを特徴とする画像記録装置。
【請求項７】
請求項５または６記載の画像記録装置において、
前記記録媒体は、インク吸収性の高い記録媒体であることを特徴とする画像記録装置。
【請求項８】
請求項５〜７の何れか一項に記載の画像記録装置において、
前記複数の記録ヘッドは、前記記録媒体の表裏面のうち、少なくとも一方の面に対して、前記インクを最大で５ｇ／ｍ2以上着弾させることを特徴とする画像記録装置。
【請求項９】
請求項５〜８の何れか一項に記載の画像記録装置において、
前記記録媒体の表裏面で硬化した前記インクを前記記録媒体に圧潰する圧潰装置を備えることを特徴とする画像記録装置。
【請求項１０】
請求項５〜９の何れか一項に記載の画像記録装置において、
前記インクは、カチオン重合系のインクであることを特徴とする画像記録装置。
【手続補正２】
【補正対象書類名】明細書
【補正対象項目名】０００７
【補正方法】変更
【補正の内容】
【０００７】
【課題を解決するための手段】
請求項１記載の発明は、紫外線硬化型のインクを記録媒体の表裏面に吐出し、前記記録媒体に着弾した前記インクを紫外線の照射により硬化させる画像記録方法であって、
前記インクとして、非水系インクを用い、
前記記録媒体の表面に前記インクを吐出し、前記記録媒体の前記表面に着弾した前記インクに紫外線を照射し、前記記録媒体に前記インクを吐出してから２秒以内に前記インクを硬化させ、
次に、前記記録媒体の裏面に前記インクを吐出し、前記記録媒体の前記裏面に着弾した前記インクに紫外線を照射し、前記記録媒体に前記インクを吐出してから２秒以内に前記インクを硬化させ、
硬化した前記インクを前記記録媒体に圧潰することを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、記録媒体の片面ごとにインクを着弾させ、着弾直後のインクに紫外線を照射することができるため、未硬化のインクが記録媒体に浸透することをより確実に防止することができる。従って、インクの裏移り及び画像の濃度低下を防止することができる。また、未硬化のインクが記録媒体の搬送機構に付着するのを防止することができる。
また、硬化したインクを記録媒体に圧潰することにより、記録媒体に着弾したインクの凹凸を平滑化することができる。従って、光沢むらのない高画質な画像を記録することができる。
なお、インクを圧潰する手段としては加熱ローラが好ましい。
【手続補正５】
【補正対象書類名】明細書
【補正対象項目名】００１３
【補正方法】変更
【補正の内容】
【００１３】
請求項２記載の発明は、請求項１記載の画像記録方法において、
前記記録媒体としてインク吸収性の高い記録媒体を用いることを特徴とする。
請求項２記載の発明によれば、インク吸収性の高い記録媒体を用いる場合であっても、請求項１記載の発明と同様の効果を得ることができる。
【手続補正６】
【補正対象書類名】明細書
【補正対象項目名】００１４
【補正方法】変更
【補正の内容】
【００１４】
請求項３記載の発明は、請求項１または２記載の画像記録方法において、
前記記録媒体の表裏面のうち、少なくとも一方の面に対して、前記インクを最大で５ｇ／ｍ2以上着弾させることを特徴とする。
【手続補正７】
【補正対象書類名】明細書
【補正対象項目名】００１５
【補正方法】変更
【補正の内容】
【００１５】
請求項３記載の発明によれば、記録媒体へのインクの着弾量が多く、インクが浸透しやすい場合であっても、請求項１または２記載の発明と同様の効果を得ることができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
請求項４記載の発明は、請求項１〜３の何れか一項に記載の画像記録方法において、
前記インクとして、カチオン重合系のインクを用いることを特徴とする。
【手続補正１１】
【補正対象書類名】明細書
【補正対象項目名】００１９
【補正方法】変更
【補正の内容】
【００１９】
ここで、カチオン重合系のインクは、重合反応の際に生じる反応活性種の寿命が長く、紫外線が到達し難い記録媒体の内部でも硬化可能であるという利点を有する。
請求項４記載の発明によれば、カチオン重合系のインクを用いることにより、確実にインクを硬化させ、記録媒体の内部にインクが過度に浸透することを防止することができる。従って、裏移り及びコックリングの発生を確実に防止した状態で高濃度の画像を記録することができる。
【手続補正１２】
【補正対象書類名】明細書
【補正対象項目名】００２０
【補正方法】変更
【補正の内容】
【００２０】
請求項５記載の発明は、紫外線硬化型のインクを記録媒体の表裏面にそれぞれ吐出する複数の記録ヘッドと、前記記録媒体に着弾した前記インクを紫外線の照射により硬化させる複数の紫外線照射装置とを備える画像記録装置であって、
前記インクは、非水系インクであり、
前記紫外線照射装置は、前記記録媒体が前記記録媒体に前記インクを吐出してから２秒以内に前記インクを硬化させることを特徴とする。
【手続補正１３】
【補正対象書類名】明細書
【補正対象項目名】００２１
【補正方法】変更
【補正の内容】
【００２１】
請求項５記載の発明によれば、インクが非水系インクであるので、インクが水系インクである場合と比較して、紙などの水吸収性の高い記録媒体に対してもコックリングを生じさせることなく画像を記録することができる。従って、コックリングによる記録精度の低下を防止し、高画質の画像を記録することができる。
また、紫外線照射装置によって吐出から２秒以内にインクを硬化させるので、記録媒体にインクが浸透することを確実に防止することができる。従って、記録媒体の表裏面にインクを着弾させる場合であっても、インクの裏移り及び記録媒体の内部における未反応モノマーの残留を防止した状態で高濃度の画像を記録することができる。
【手続補正１４】
【補正対象書類名】明細書
【補正対象項目名】００２２
【補正方法】変更
【補正の内容】
【００２２】
請求項６記載の発明は、請求項５記載の画像記録装置において、
前記複数の記録ヘッドは、前記記録媒体の表面に前記インクを吐出する第１の記録ヘッドと、前記記録媒体の裏面に前記インクを吐出する第２の記録ヘッドとを備え、
前記複数の紫外線照射装置は、前記記録媒体の表面に着弾した前記インクを硬化させる第１の紫外線照射装置と、前記記録媒体の裏面に着弾した前記インクを硬化させる第２の紫外線照射装置とを備え、
前記記録媒体の表面に前記第１の記録ヘッドが前記インクを吐出し、前記記録媒体の表面に着弾した前記インクを前記第１の紫外線照射装置が硬化させた後に、
前記記録媒体の裏面に前記第２の記録ヘッドが前記インクを吐出し、前記記録媒体の裏面に着弾した前記インクを前記第２の紫外線照射装置が硬化させることを特徴とする。
【手続補正１５】
【補正対象書類名】明細書
【補正対象項目名】００２３
【補正方法】変更
【補正の内容】
【００２３】
請求項６記載の発明によれば、記録媒体の片面ごとにインクを着弾させ、着弾直後のインクに紫外線を照射することができるため、未硬化のインクが記録媒体に浸透することをより確実に防止することができる。従って、インクの裏移り及び画像の濃度低下を防止することができる。また、未硬化のインクが記録媒体の搬送機構に付着するのを防止することができる。
【手続補正１６】
【補正対象書類名】明細書
【補正対象項目名】００２４
【補正方法】変更
【補正の内容】
【００２４】
請求項７記載の発明は、請求項５または６記載の画像記録装置において、
前記記録媒体は、インク吸収性の高い記録媒体であることを特徴とする。
請求項７記載の発明によれば、インク吸収性の高い記録媒体を用いる場合であっても、請求項５または６記載の発明と同様の効果を得ることができる。
【手続補正１７】
【補正対象書類名】明細書
【補正対象項目名】００２５
【補正方法】変更
【補正の内容】
【００２５】
請求項８記載の発明は、請求項５〜７の何れか一項に記載の画像記録装置において、
前記複数の記録ヘッドは、前記記録媒体の表裏面のうち、少なくとも一方の面に対して、前記インクを最大で５ｇ／ｍ2以上着弾させることを特徴とする。
【手続補正１８】
【補正対象書類名】明細書
【補正対象項目名】００２６
【補正方法】変更
【補正の内容】
【００２６】
請求項８記載の発明によれば、記録媒体へのインクの着弾量が多く、インクが浸透しやすい場合であっても、請求項５〜７の何れか一項に記載の発明と同様の効果を得ることができる。
【手続補正１９】
【補正対象書類名】明細書
【補正対象項目名】００２７
【補正方法】変更
【補正の内容】
【００２７】
請求項９記載の発明は、請求項５〜８の何れか一項に記載の画像記録装置において、
前記記録媒体の表裏面で硬化した前記インクを前記記録媒体に圧潰する圧潰装置を備えることを特徴とする。
【手続補正２０】
【補正対象書類名】明細書
【補正対象項目名】００２８
【補正方法】変更
【補正の内容】
【００２８】
請求項９記載の発明よれば、記録媒体に着弾したインクの凹凸を圧潰装置によって平滑化することができる。従って、光沢むらのない高画質な画像を記録することができる。
【手続補正２１】
【補正対象書類名】明細書
【補正対象項目名】００２９
【補正方法】変更
【補正の内容】
【００２９】
請求項１０記載の発明は、請求項５〜９の何れか一項に記載の画像記録装置において、
前記インクは、カチオン重合系のインクであることを特徴とする。
【手続補正２２】
【補正対象書類名】明細書
【補正対象項目名】００３０
【補正方法】変更
【補正の内容】
【００３０】
請求項１０記載の発明によれば、インクがカチオン重合系のインクであるので、確実にインクを硬化させ、記録媒体の内部にインクが過度に浸透することを防止することができる。従って、裏移り及びコックリングの発生を確実に防止した状態で高濃度の画像を記録することができる。
【手続補正２３】
【補正対象書類名】明細書
【補正対象項目名】００５７
【補正方法】変更
【補正の内容】
【００５７】
また、インクの裏移り及び画像の濃度低下を防止することができる。また、未硬化のインクが記録媒体の搬送機構に付着するのを防止することができる。
また、記録媒体に着弾したインクの凹凸を平滑化することができる。従って、光沢むらのない高画質な画像を記録することができる。
【手続補正２４】
【補正対象書類名】明細書
【補正対象項目名】００５８
【補正方法】変更
【補正の内容】
【００５８】
請求項２記載の発明によれば、インク吸収性の高い記録媒体を用いる場合であっても、請求項１記載の発明と同様の効果を得ることができる。
【手続補正２５】
【補正対象書類名】明細書
【補正対象項目名】００５９
【補正方法】変更
【補正の内容】
【００５９】
請求項３記載の発明によれば、記録媒体へのインクの着弾量が多く、インクが浸透しやすい場合であっても、請求項１または２記載の発明と同様の効果を得ることができる。
【手続補正２６】
【補正対象書類名】明細書
【補正対象項目名】００６０
【補正方法】削除
【補正の内容】
【手続補正２７】
【補正対象書類名】明細書
【補正対象項目名】００６１
【補正方法】変更
【補正の内容】
【００６１】
請求項４記載の発明によれば、請求項１〜３の何れか一項に記載の発明と同様の効果が得られるのは勿論のこと、裏移り及びコックリングの発生を確実に防止した状態で高濃度の画像を記録することができる。
【手続補正２８】
【補正対象書類名】明細書
【補正対象項目名】００６２
【補正方法】変更
【補正の内容】
【００６２】
請求項５記載の発明によれば、コックリングによる記録精度の低下を防止し、高画質の画像を記録することができる。また、インクの裏移り及び記録媒体の内部における未反応モノマーの残留を防止した状態で高濃度の画像を記録することができる。
【手続補正２９】
【補正対象書類名】明細書
【補正対象項目名】００６３
【補正方法】変更
【補正の内容】
【００６３】
請求項６記載の発明によれば、請求項５記載の発明と同様の効果が得られるのは勿論のこと、インクの裏移り及び画像の濃度低下を防止することができる。また、未硬化のインクが記録媒体の搬送機構に付着するのを防止することができる。
【手続補正３０】
【補正対象書類名】明細書
【補正対象項目名】００６４
【補正方法】変更
【補正の内容】
【００６４】
請求項７記載の発明によれば、インク吸収性の高い記録媒体を用いる場合であっても、請求項５または６記載の発明と同様の効果を得ることができる。
【手続補正３１】
【補正対象書類名】明細書
【補正対象項目名】００６５
【補正方法】変更
【補正の内容】
【００６５】
請求項８記載の発明によれば、記録媒体へのインクの着弾量が多く、インクが浸透しやすい場合であっても、請求項５〜７の何れか一項に記載の発明と同様の効果を得ることができる。
【手続補正３２】
【補正対象書類名】明細書
【補正対象項目名】００６６
【補正方法】変更
【補正の内容】
【００６６】
請求項９記載の発明によれば、請求項５〜８の何れか一項に記載の発明と同様の効果が得られるのは勿論のこと、記録媒体に着弾したインクの凹凸を平滑化することができる。従って、光沢むらのない高画質な画像を記録することができる。
【手続補正３３】
【補正対象書類名】明細書
【補正対象項目名】００６７
【補正方法】変更
【補正の内容】
【００６７】
請求項１０記載の発明によれば、請求項５〜９の何れか一項に記載の発明と同様の効果が得られるのは勿論のこと、裏移り及びコックリングの発生を確実に防止した状態で高濃度の画像を記録することができる。